(57)【特許請求の範囲】
【請求項１】
１枚の板紙から成るブランクを折り畳みかつ接着して構成された直方体形状のカートンであって、
底板１、天板２、折り曲げ線ａ２を介して天板２に連接された後板３、折り曲げ線ａ４を介して底板１に連接され、かつ、後板３より高さの低い内側前板４，折り曲げ線ａ３を介して天板２に連接され、内側前板４の外側に重ねて接着された外側前板５、左右両側板６，７で構成されており、
次の構造１及び構造２を有することを特徴とする輸送用兼展示用カートン。
構造１；天板２は、略中央に設けられた折り曲げ線ａ５によって、後板３方向の後天板領域２１と外側前板５方向の前天板領域２２に区分されており、この前天板領域２２には閉曲線形状の折り曲げ線で囲まれた商品挿入孔ｅが、複数設けられており、
折り曲げ線ａ３の両端部には切込みｃ３，ｃ４が設けられており、
左右両側板６，７には、それぞれ、折り曲げ線を介してフラップ６１，７１が設けられており、このフラップ６１，７１には、それぞれ、前記切り込みｃ３，ｃ４のそれぞれと咬み合う切り込みｃ１，ｃ２が設けられている構造。
構造２；底板１には、閉曲線形状の折り曲げ線で囲まれた商品挿入孔ｅが、複数設けられており、
左右両側板６，７には、それぞれ、斜め方向に伸びる折り曲げ線ａ９，ａ１０が設けられており、この折り曲げ線ａ９，ａ１０は、左右両側板６，７が天板２に接する角部と内側前板４の高さ位置とを結ぶ線上に設けられている構造。
【請求項２】
底板１の商品挿入孔ｅの数が、前天板領域２２の商品挿入孔ｅの数より多いことを特徴とする請求項１に記載の輸送用兼展示用カートン。
【請求項３】
前記フラップ６，７は、切り取り線ｂ２、ｂ４を介して２つの領域に区分されており、前方に位置する領域６１２，７１２が切り取り可能に構成されていることを特徴とする請求項１又は２に記載の輸送用兼展示用カートン。
【発明の詳細な説明】
【技術分野】
【０００１】
本発明は、円錐状又は棒状の商品を梱包して輸送する紙製カートンでありながら、その商品を店頭にて展示する際に、その商品の展示台とすることができる紙製カートンに関するものである。
【背景技術】
【０００２】
円錐状又は棒状の商品を陳列展示する場合には、これら商品をリング状に配列して差し込むハンガー式専用什器を使用していることが多い。しかし、この場合には、輸送用カートンとは別に専用什器を用意する必要があり、しかも、壁などから吊り下げることになるから、その展示方法も限られるという問題がある。
【０００３】
輸送用カートンを展示台として使用する方法として、この輸送用カートンの底板に商品差込用の穴を設け、輸送用カートンを転倒させて底板を上面に位置させ、この底板の穴に商品を差し込んで展示する方法が知られている。しかし、この方法によれば、カートンを転倒させて展示するため、収納された商品をすべて取り出した後に展示する必要がある、また、底板が水平面を構成しているため、奥に配置された商品を取り出しにくい、一般に穴の数は収納商品の数と同数であるため、すべての商品がなくなるまで次の商品が展示できない、などの問題がある。
【０００４】
また、特許文献１には、カートンの天板に商品差込用の穴を設け、商品の展示の際には、この天板を自然なカーブを描くように斜めに配置し、その穴に商品を差し込んで展示する輸送用兼展示用カートンが記載されている。このカートンによれば、底板が斜めに配置されているため、奥の商品も容易に取り出すことができる。しかし、このカートンにおいても、すべての商品がなくなるまで次の商品が展示できない、という問題が残っている。
【先行技術文献】
【特許文献】
【０００５】
【特許文献１】実開昭６４−９１２５号公報
【発明の概要】
【発明が解決しようとする課題】
【０００６】
そこで、本発明は輸送用カートンでありながら、展示効果や残余の商品の収納能力の異なる２通りの展示方法を採用することができ、こうして前記問題を解消することのできる輸送用兼展示用カートンを提供することを目的とする。
【課題を解決するための手段】
【０００７】
請求項１に記載の発明は、１枚の板紙から成るブランクを折り畳みかつ接着して構成された直方体形状のカートンであって、
底板１、天板２、折り曲げ線ａ２を介して天板２に連接された後板３、折り曲げ線ａ４を介して底板１に連接され、かつ、後板３より高さの低い内側前板４，折り曲げ線ａ３を介して天板２に連接され、内側前板４の外側に重ねて接着された外側前板５、左右両側板６，７で構成されており、
次の構造１及び構造２によって特徴付けられる輸送用兼展示用カートンである。
【０００８】
なお、構造１は第１の展示方法に対応する構造であり、構造２は第２の展示方法に対応する構造である。
【０００９】
構造１は、天板２の構造、折り曲げ線ａ３の構造、及び左右両側板６，７の構造で特徴付けられ、これら天板２の構造と左右両側板６，７の構造で商品の展示を可能としている。
【００１０】
すなわち、天板２は、略中央に設けられた折り曲げ線ａ５によって、後板３方向の後天板領域２１と外側前板５方向の前天板領域２２に区分されている。そして、この前天板領域２２には閉閉曲線形状の折り曲げ線で囲まれた商品挿入孔ｅが、複数設けられている。
【００１１】
また、折り曲げ線ａ３の両端部には切込みｃ３，ｃ４が設けられており、他方、左右両側板６，７には、それぞれ、折り曲げ線を介してフラップ６１，７１が設けられており、このフラップ６１，７１には、それぞれ、前記切り込みｃ３，ｃ４のそれぞれと咬み合う切り込みｃ１，ｃ２が設けられている。なお、後述するように、左右両側板６，７には、それぞれ、第２の展示方法に対応する構造も設けられている。
【００１２】
そして、この構造１に基づいて商品を展示するときには、まず、天板２の後天板領域２１を鉛直方向に立ち上げて、後板３と面一に構成する。そして、折り曲げ線ａ５から折り曲げて、前天板領域２２を前方斜め方向に配置し、折り曲げ線ａ３の両端部に設けられた切込みｃ１，ｃ２を切り込みｃ３，ｃ４のそれぞれと咬み合せて、前天板領域２２の位置を固定する。
【００１３】
こうして、前方斜め方向に固定された前天板領域２２には複数の商品挿入孔ｅが設けられているから、商品をこの商品挿入孔ｅに挿入して展示陳列することができる。このとき前天板領域２２は斜めに配置されているから、奥に展示された商品も容易に取り出すことができる。また、カートンに容量に変化はないから、展示されずに残った残余の商品をそのまま収納しておくこともできるし、新たな商品を仕入れた場合にも、このカートンの中に収納して保存しておくことが可能である。
【００１４】
次に、構造２は、底板１の構造と左右両側板６，７の構造で特徴付けられ、これら底板１の構造と左右両側板６，７の構造で商品の展示を可能としている。
【００１５】
すなわち、底板１には、閉曲線形状の折り曲げ線で囲まれた商品挿入孔ｅが、複数設けられている。
【００１６】
また、左右両側板６，７には、それぞれ、斜め方向に伸びる折り曲げ線ａ９，ａ１０が設けられており、この折り曲げ線ａ９，ａ１０は、左右両側板６，７が天板２に接する角部と内側前板４の高さ位置とを結ぶ線上に設けられている。
【００１７】
この構造２に基づいて商品を展示するときには、まず、折り曲げ線ａ９，ａ１０から折り曲げて、左右両側板６，７の先端領域をカートンの内部に折り込む。次に、カートンを転倒させて、底板１を上面に配置する。このとき、折り曲げ線ａ９，ａ１０は、左右両側板６，７が天板２に接する角部と内側前板４の高さ位置とを結ぶ線上に設けられているから、転倒したカートンを側面方向から見ると台形状になっている。すなわち、底板１は、後方（後板３方向）が高く、前方（内側前板４方向）が低くなるように、斜め方向に配置されている。なお、折り曲げ線ａ９，ａ１０から折り曲げるのに代えて、この折り曲げ線ａ９，ａ１０から切り取ってもよい。
【００１８】
こうして、斜め方向に配置された底板１には複数の商品挿入孔ｅが設けられているから、商品をこの商品挿入孔ｅに挿入して展示陳列することができる。このとき、底板１は斜めに配置されているから、奥に展示された商品も容易に取り出すことができる。なお、カートンは転倒しており、しかも、その高さが低くなっているから、カートン中に十分な量の商品を収納することは困難である。しかし、底板１の面積は、前天板領域２２の面積に後天板領域２１の面積を加えたものに等しく、その展示面積が前天板領域２２よりも広いから、十分な数の商品を展示することが可能である。
【００１９】
次に、請求項２に記載の発明は、構造１に基づく展示方法（第１の展示方法）よりも、構造２に基づく展示方法（第２の展示方法）によって、数多くの商品を展示できることを明らかにしたもので、すなわち、底板１の商品挿入孔ｅの数が、前天板領域２２の商品挿入孔ｅの数より多いことを特徴とする請求項１に記載の輸送用兼展示用カートンである。
【００２０】
また、請求項３に記載の発明は、フラップ６，７のうち、切り込みｃ１，ｃ２より前方（顧客側）に位置する領域を切り取り可能に構成して、構造１に基づく展示方法（第１の展示方法）を採用した際に、前方斜め方向に固定された前天板領域２２より前方（顧客側）の領域を切り取って、展示の見栄えを向上したもので、すなわち、前記フラップ６１，７１は、切り取り線ｂ２、ｂ４を介して２つの領域に区分されており、前方に位置する領域６１２，７１２が切り取り可能に構成されていることを特徴とする請求項１又は２に記載の輸送用兼展示用カートンである。
【発明の効果】
【００２１】
本発明によれば、輸送用カートンでありながら、展示効果や残余の商品の収納能力の異なる２通りの展示方法を採用することができるという効果を奏する。しかも、いずれの展示方法を採用しても、奥に展示された商品を容易に取り出すことができる。また、その展示効果に応じて、十分な数の商品をカートン内部に収納保存したり、また、多くの商品を展示することが可能である。
【図面の簡単な説明】
【００２２】
【図１】本発明の実施例に係るブランクの展開図
【図２】本発明の実施例に係るカートンの斜視図
【図３】本発明の実施例に係る第１の展示方法を示す斜視図
【図４】本発明の実施例に係る第２の展示方法を示す斜視図
【発明を実施するための形態】
【００２３】
本発明にかかるカートンは、１枚の板紙から成るブランクを折り畳みかつ接着して構成されたもので、その外形は直方体である。
【００２４】
このブランクの具体例は図１に示されている。すなわち、このブランクは、内側前板４、底板１、後板３、天板２及び外側前板５を有しており、これらは、折り曲げ線を介してこの順に連接されている。すなわち、内側前板４と底板１とは折り曲げ線ａ４を介して連接されている。底板１と後板３とは折り曲げ線ａ１を介して連接されている。後板３と天板２とは折り曲げ線ａ２を介して連接されている。天板２と外側前板５とは折り曲げ線ａ３を介して連接されている。なお、天板２は略中央に設けられた折り曲げ線ａ５によって、後板３方向の後天板領域２１と外側前板５方向の前天板領域２２に区分されている。これら折り曲げ線ａ１〜ａ５は、互いに略平行である。
【００２５】
底板１には、整列された商品挿入孔ｅが８個設けられている。この商品挿入孔ｅは６角形の形状の折り曲げ線と、この６角形の対角線に設けられた３本の切り取り線で構成されており、商品を押し込むことで、この切り取り線から切断され、かつ、折り曲げ線から折り曲げられて、商品を挿入することができる。また、挿入された商品は、この孔に保持される。
【００２６】
また、この底板１の左側には、折り曲げ線ａ６を介して、左側板６が連接されている。
左側板６にはフラップ６１が設けられており、このフラップ６１には切り取り線ｂ２が設けられており、この切り取り線ｂ２を介してフラップ６１は２つの領域６１１と６１２とに区分されている。そして、この２つの領域６１１と６１２のうち、先端に位置する領域（展示したときに顧客側に位置する領域）６１２は切り取り可能に構成されている。このため、折り曲げ線ａ６のうち、この領域６１２に位置する線は切り取り線ｂ１を構成している。また、この２つの領域６１１と６１２のうち、他方の領域６１１には、切り込みｃ１が設けられており、この切り込みｃ１は、後述する折り曲げ線ａ３の切込みｃ３と咬み合うことができるように構成されている。
【００２７】
また、左側板６には、２本の折り曲げ線が設けられている。この２本の折り曲げ線のうち、１本の折り曲げ線ａ９は、カートンを構成したときにこの左側板６が天板２に接する角部と内側前板４の高さ位置とを結ぶ線上に斜め方向に設けられたもので、後述するように、第２の展示方法を採用する際に、この折り曲げ線ａ９から左側板６を折り曲げて、その先端領域６２をカートンの内部に折り込んで使用する。また、左側板６に設けられた２本の折り曲げ線のうち、他方の折り曲げ線ａ１１は、天板２の角部からフラップ６１の略中央まで延びる折り曲げ線である。
【００２８】
なお、底板１の右側には、折り曲げ線ａ７を介して、右側板７が連接されており、この右側板７も左側板６と同様の構造を有している。すなわち、右側板７にはフラップ７１が設けられており、このフラップ７１には切り取り線ｂ４が設けられており、この切り取り線ｂ４を介して２つの領域７１１と７１２とに区分されている。この２つの領域のうち、先端に位置する領域（展示したときに顧客側に位置する領域）７１２は切り取り可能に構成されており、折り曲げ線ａ７のうち、この領域７１２に位置する線は切り取り線ｂ３を構成している。また、この２つの領域のうち、他方の領域７１１には、切り込みｃ２が設けられている。また、右側板７にも２本の折り曲げ線が設けられていて、このうち、１本の折り曲げ線ａ１０は、カートンを構成したときにこの右側板７が天板２に接する角部と内側前板４の高さ位置とを結ぶ線上に斜め方向に設けられており、他方の折り曲げ線ａ１２は、天板２の角部からフラップ７１の略中央折り曲げ線である。
【００２９】
次に、後板３の左右にも、それぞれ、フラップが設けられている。
【００３０】
また、前述のように、天板２は略中央に設けられた折り曲げ線ａ５によって、後板３方向の後天板領域２１と外側前板５方向の前天板領域２２に区分されている。そして、その前天板領域２２には、整列された商品挿入孔ｅが４個設けられている。この商品挿入孔ｅは、底板１の商品挿入孔ｅと同大同形状である。すなわち、この商品挿入孔ｅは、６角形の形状の折り曲げ線と、この６角形の対角線に設けられた３本の切り取り線で構成されており、商品を押し込むことで、この切り取り線から切断され、かつ、折り曲げ線から折り曲げられて、商品を挿入することができる。また、挿入された商品は、この孔に保持される。
【００３１】
また、外側前板５は、その先端部位を内側前板４の外面に接着することにより、カートンを封止するものである。そして、カートンを開封する際に使用するジッパーｄを備えている。なお、外側前板５と天板２との間の折り曲げ線ａ３の両端部には切込みｃ３，ｃ４が設けられており、第１の展示方法を採用する際に、この切込みｃ３，ｃ４と切り込みｃ１，ｃ２と咬み合せて使用する。
【００３２】
次に、内側前板４は、その高さｔが後板３より低くなるように構成されている。第２の展示方法を採用した際に、底板１が斜めに配置されるようにするためである。また、この内側前板４には、折り曲げ線ａ４の端部から斜め方向に伸びる折り曲げ線が設けられている。
【００３３】
また、この内側前板４の左側には、折り曲げ線を介して、フラップが連接されている。そして、このフラップは折り曲げ線によって２つの領域４１，４３に区分されている。このフラップは、カートンを組み立てる際に、左側板６と接着するものである。そして、このフラップが折り曲げ線によって２つの領域４１，４３に区分されているから、第２の展示方法を採用する際にも、これら２つの領域４１，４３を左側板６に接着したまま、内側に折り込むことができる。
【００３４】
なお、内側前板４の右側にも、折り曲げ線を介して、フラップが連接されている。このフラップも、内側前板４の左側のフラップと同様の構造を有している。すなわち、このフラップも折り曲げ線によって２つの領域に区分されている。
【００３５】
次に、このブランクを使用して組み立てたカートンを図２に示す。
【００３６】
図２から明らかなように、このカートンは、その外観が直方体である。すなわち、各フラップを、対応する部位に接着することによって、図示のような直方体のカートンとすることができる。なお、外側前板５を内側前板４の外側に折り重ね、その先端部位を内側前板４の外面に接着してカートンを封止する。このため、ジッパーｄは、カートンの外面に露出している。そして、このジッパーｄからカートンを開封することが可能である。
【００３７】
次に、図３を参照して、第１の展示方法について説明する。すなわち、まずジッパーｄを開いてカートンを開封し、天板２の後天板領域２１を鉛直方向に立ち上げて、後板３と面一に構成する。そして、折り曲げ線ａ５から折り曲げて、前天板領域２２を前方斜め方向に配置し、折り曲げ線ａ３の両端部に設けられた切込みｃ１，ｃ２を切り込みｃ３，ｃ４のそれぞれと咬み合せて、前天板領域２２の位置を固定する。そして、商品を前天板領域２２の商品挿入孔ｅに挿入して展示陳列することができる。
【００３８】
次に、図４を参照して、第２の展示方法について説明する。すなわち、まずジッパーｄを開いてカートンを開封し、折り曲げ線ａ９，ａ１０から折り曲げて、左右両側板６，７の先端領域を、フラップの領域４３，４４と共にカートンの内部に折り込む。次に、カートンを転倒させて、底板１を上面に配置する。このとき、折り曲げ線ａ９，ａ１０は、左右両側板６，７が天板２に接する角部と内側前板４の高さ位置とを結ぶ線上に設けられているから、転倒したカートンを側面方向から見ると台形状になっている。すなわち、底板１は、後方（後板３方向）が高く、前方（内側前板４方向）が低くなるように、斜め方向に配置されている。そして、商品を底板１の商品挿入孔ｅに挿入して展示陳列することができる。
【符号の説明】
【００３９】
１；底板  ２１；後天板領域  ２２；前天板領域  ３；後板  ４；内側前板  ５；外側前板  ６；左側板  ６１；フラップ  ７；右側板  ７１；フラップ
ａ１〜ａ１２；折り曲げ線  ｂ１〜ｂ４；切り取り線  ｃ１〜ｃ４；切り込み  ｄ；ジッパー
Ａ      商品
【図１】
0005477582.tif 000002
【図２】
0005477582.tif 000003
【図３】
0005477582.tif 000004
【図４】
0005477582.tif 000005